(57)【要約】【課題】接続する誘電バリア放電型外部電極蛍光ランプ（ＥＥＦＬ）２１の本数が多数化しても容易に対応でき、製造コストの低減が図れる給電ユニットを構成する。【解決手段】この発明の給電ユニットは、柔軟なゴム弾性を持つ、棒状の導電材で形成され、一端部にハーネス接続部２２１を有し、長手方向に間隔を置いて複数のランプ挿入穴２２０が形成されたソケット２２と、このソケットに被せられ、当該ソケットの絶縁を必要とする表面を覆い隠すと共に当該ソケットを保形する難燃絶縁材のソケットホルダ２３とで構成される外部電極蛍光ランプ用ソケットアセンブリ３０の２体を１８０度回転対称な位置関係に配置し、両外部電極蛍光ランプ用ソケットアセンブリのハーネス接続部各々に高周波電源２４からの給電ハーネス２５を接続した構成である。【選択図】　　　図２
2004095377.tif 000002
【特許請求の範囲】
【請求項１】
柔軟なゴム弾性を持つ、棒状の導電材で形成され、一端部にハーネス接続部を有し、長手方向に間隔を置いて複数のランプ挿入穴が形成されて成るソケット。
【請求項２】
前記ハーネス接続部は、前記棒状の導電材の端部に、ハーネス端子をねじ止めするためのねじ穴が設けられた金具を装着したものであることを特徴とする請求項１に記載のソケット。
【請求項３】
前記ハーネス接続部は、ハーネス端子をねじ止めするための金属ナットを前記棒状の導電材に焼付け同時成形したものであることを特徴とする請求項１に記載のソケット。
【請求項４】
前記金属ナットは、外形が非円形であることを特徴とする請求項３に記載のソケット。
【請求項５】
前記ハーネス接続部は、前記棒状の導電材の一端部の一側面にねじ止め用ボスの挿入穴を形成し、その反対面から当該ねじ止め用ボスの挿入穴に貫通するねじ通し穴を形成したものであることを特徴とする請求項１に記載のソケット。
【請求項６】
柔軟なゴム弾性を持つ、棒状の導電材で形成され、一端部にハーネス接続部を有し、長手方向に間隔を置いて複数のランプ挿入穴が形成されたソケットと、
前記ソケットに被せられ、当該ソケットの絶縁を必要とする表面を覆い隠すと共に当該ソケットを保形する難燃絶縁材のソケットホルダとから成る外部電極蛍光ランプ用ソケットアセンブリ。
【請求項７】
柔軟なゴム弾性を持つ、棒状の導電材で形成され、一端部にハーネス接続部を有し、長手方向に間隔を置いて複数のランプ挿入穴が形成されたソケットと、前記ソケットに被せられ、当該ソケットの絶縁を必要とする表面を覆い隠すと共に当該ソケットを保形する難燃絶縁材のソケットホルダとで構成される外部電極蛍光ランプ用ソケットアセンブリの２体を１８０度回転対称な位置関係に配置し、
２体の内の一方の外部電極蛍光ランプ用ソケットアセンブリのハーネス接続部に高周波電源からの給電ハーネスの一方を接続し、２体の内の他方の外部電極蛍光ランプ用ソケットアセンブリのハーネス接続部に前記高周波電源からの給電ハーネスの他方を接続して成る外部電極蛍光ランプ用給電ユニット。
【請求項８】
柔軟なゴム弾性を持つ、棒状の導電材で形成され、一端部にハーネス接続部を有し、長手方向に間隔を置いて複数のランプ挿入穴が形成されたソケットと、前記ソケットに被せられ、当該ソケットの絶縁を必要とする表面を覆い隠すと共に当該ソケットを保形する難燃絶縁材のソケットホルダとで構成される外部電極蛍光ランプ用ソケットアセンブリの２体を１８０度回転対称な位置関係に配置し、
前記２体の外部電極蛍光ランプ用ソケットアセンブリの対向面間において、複数本の外部電極蛍光ランプ各々の一端を一方の外部電極蛍光ランプ用ソケットアセンブリの複数のランプ挿入穴各々に圧入し、前記対向面間において、複数本の外部電極蛍光ランプ各々の他端を他方の外部電極蛍光ランプ用ソケットアセンブリの複数のランプ挿入穴各々に圧入し、
２体の内の一方の外部電極蛍光ランプ用ソケットアセンブリのハーネス接続部に高周波電源からの給電ハーネスの一方を接続し、２体の内の他方の外部電極蛍光ランプ用ソケットアセンブリのハーネス接続部に前記高周波電源からの給電ハーネスの他方を接続して成る照明装置。
【請求項９】
柔軟なゴム弾性を持つ、棒状の導電材で形成され、一端部にハーネス接続部を有し、長手方向に間隔を置いて複数のランプ挿入穴が形成されたソケットと、前記ソケットに被せられ、当該ソケットの絶縁を必要とする表面を覆い隠すと共に当該ソケットを保形する難燃絶縁材のソケットホルダとで構成される外部電極蛍光ランプ用ソケットアセンブリの２体を１８０度回転対称な位置関係に配置し、前記２体の外部電極蛍光ランプ用ソケットアセンブリの対向面間において、複数本の外部電極蛍光ランプ各々の一端を一方の外部電極蛍光ランプ用ソケットアセンブリの複数のランプ挿入穴各々に圧入し、前記対向面間において、複数本の外部電極蛍光ランプ各々の他端を他方の外部電極蛍光ランプ用ソケットアセンブリの複数のランプ挿入穴各々に圧入し、２体の内の一方の外部電極蛍光ランプ用ソケットアセンブリのハーネス接続部に高周波電源からの給電ハーネスの一方を接続し、２体の内の他方の外部電極蛍光ランプ用ソケットアセンブリのハーネス接続部に前記高周波電源からの給電ハーネスの他方を接続して構成される照明装置と、
前記照明装置の複数本の外部電極蛍光ランプのからの光で照明され得る側面に近接して配置された液晶パネルとから成る液晶表示装置。
【発明の詳細な説明】
【０００１】
【発明の属する技術分野】
本発明は、ソケット、外部電極蛍光ランプ用ソケットアセンブリ、外部電極蛍光ランプ用給電ユニット、照明装置及び液晶表示装置に関する。
【０００２】
【従来の技術】
液晶テレビジョンのように高輝度を要求される表示装置のバックライトとして、特開２００２−８４０８号公報に記載された誘電バリア型外部電極蛍光ランプ（ＥＥＦＬ）を利用した平面パネル蛍光ランプ方式のものが提案されている。
【０００３】
この従来のバックライトでは、同公報の図４（ｂ）に示すように、複数本の外部電極蛍光ランプを並列し、各ランプの両端の外部電極を左右の給電ユニットそれぞれに平行に並べられているカプセル型ソケット各々に差し込み、この給電ユニット間に高周波電圧を印加し、各ランプを放電点灯させる。
【０００４】
【発明が解決しようとする課題】
ところが、このような従来のバックライトの場合、給電ユニットに平行に並べられた各カプセル型ソケットに外部電極蛍光ランプ各々の外部電極部分を差し込む構成であるため、給電ユニットの製作において、複数のカプセル型ソケットを列設する工程が必要であり、高輝度実現のために多数のソケットを１つの給電ユニットに作り込もうとすれば、高度な製造技術が必要となり、コストが嵩む問題点があった。
【０００５】
本発明はこのような従来の技術的課題に鑑みてなされたもので、接続するＥＥＦＬの本数が多数化しても容易に対応でき、製造コストの低減が図れるソケット、外部電極蛍光ランプ用ソケットアセンブリ、外部電極蛍光ランプ用給電ユニット、照明装置及び液晶表示装置を提供することを目的とする。
【０００６】
【課題を解決するための手段】
請求項１の発明のソケットは、柔軟なゴム弾性を持つ、棒状の導電材で形成され、一端部にハーネス接続部を有し、長手方向に間隔を置いて複数のランプ挿入穴が形成されたものである。
【０００７】
請求項２の発明は、請求項１のソケットにおいて、前記ハーネス接続部は、前記棒状の導電材の端部に、ハーネス端子をねじ止めするためのねじ穴が設けられた金具を装着したものであることを特徴とするものである。
【０００８】
請求項３の発明は、請求項１のソケットにおいて、前記ハーネス接続部は、ハーネス端子をねじ止めするための金属ナットを前記棒状の導電材に焼付け同時成形したものであることを特徴とするものである。
【０００９】
請求項４の発明は、請求項３のソケットにおいて、前記金属ナットは、外形が非円形であることを特徴とするものである。
【００１０】
請求項５の発明は、請求項１のソケットにおいて、前記ハーネス接続部は、前記棒状の導電材の一端部の一側面にねじ止め用ボスの挿入穴を形成し、その反対面から当該ねじ止め用ボスの挿入穴に貫通するねじ通し穴を形成したものであることを特徴とするものである。
【００１１】
請求項１〜５の発明のソケットは、柔軟なゴム弾性を持つ、棒状の導電材で形成され、一端部にハーネス接続部を有し、長手方向に間隔を置いて複数のランプ挿入穴が形成されたものであり、平行に並べられた複数本の外部電極蛍光ランプ各々の外部電極を各ランプ挿入穴に差し込み、ハーネス接続部に高周波電源からのハーネスを接続することによって、各外部電極蛍光ランプの片側の外部電極に同時に並列的に高周波電圧を印加して放電点灯させることができる。このため、本発明のソケットでは、複数本の外部電極蛍光ランプの外部電極との接続のための構造が棒状の導電材にランプ挿入穴を形成するだけの単純なものであり、その製造が容易で、コストの低減化が可能である。
【００１２】
そして、ハーネス接続部の構造を種々工夫することによって、本発明のソケットと高周波電源との間を確実に接続できる。
【００１３】
請求項６の発明の外部電極蛍光ランプ用ソケットアセンブリは、柔軟なゴム弾性を持つ、棒状の導電材で形成され、一端部にハーネス接続部を有し、長手方向に間隔を置いて複数のランプ挿入穴が形成されたソケットと、前記ソケットに被せられ、当該ソケットの絶縁を必要とする表面を覆い隠すと共に当該ソケットを保形する難燃絶縁材のソケットホルダとから成るものである。
【００１４】
請求項６の発明の外部電極蛍光ランプ用ソケットアセンブリでは、柔軟なゴム弾性を持つ、棒状の導電材で形成されたソケットをソケットホルダで保形することにより、複数本の外部電極蛍光ランプの外部電極に対する接続強度を高め、また発火の恐れなく高周波電圧を印加して複数本の外部電極蛍光ランプを点灯させることができ、しかもユーザが高電圧の印加されているソケットに触れて感電する恐れもなくすことができる。
【００１５】
請求項７の発明の外部電極蛍光ランプ用給電ユニットは、柔軟なゴム弾性を持つ、棒状の導電材で形成され、一端部にハーネス接続部を有し、長手方向に間隔を置いて複数のランプ挿入穴が形成されたソケットと、前記ソケットに被せられ、当該ソケットの絶縁を必要とする表面を覆い隠すと共に当該ソケットを保形する難燃絶縁材のソケットホルダとで構成される外部電極蛍光ランプ用ソケットアセンブリの２体を１８０度回転対称な位置関係に配置し、２体の内の一方の外部電極蛍光ランプ用ソケットアセンブリのハーネス接続部に高周波電源からの給電ハーネスの一方を接続し、２体の内の他方の外部電極蛍光ランプ用ソケットアセンブリのハーネス接続部に前記高周波電源からの給電ハーネスの他方を接続して成るものである。
【００１６】
請求項７の発明の外部電極蛍光ランプ用給電ユニットでは、複数本の外部電極蛍光ランプを並列させ、各蛍光ランプの両側の外部電極各々を両側の外部電極蛍光ランプ用ソケットアセンブリそれぞれのソケットに形成されている各ランプ挿入穴に圧入して電気的な接続を行うことにより、複数本の外部電極蛍光ランプを同時に放電点灯させる照明装置を構成することができる。
【００１７】
そしてこの場合に、片側のソケットのハーネス接続部と反対側のソケットのハーネス接続部は対角線上に位置することになり、各蛍光ランプに供給する電力を均等化し、発光面全体での発光を均一化できる。
【００１８】
請求項８の発明の照明装置は、柔軟なゴム弾性を持つ、棒状の導電材で形成され、一端部にハーネス接続部を有し、長手方向に間隔を置いて複数のランプ挿入穴が形成されたソケットと、前記ソケットに被せられ、当該ソケットの絶縁を必要とする表面を覆い隠すと共に当該ソケットを保形する難燃絶縁材のソケットホルダとで構成される外部電極蛍光ランプ用ソケットアセンブリの２体を１８０度回転対称な位置関係に配置し、前記２体の外部電極蛍光ランプ用ソケットアセンブリの対向面間において、複数本の外部電極蛍光ランプ各々の一端を一方の外部電極蛍光ランプ用ソケットアセンブリの複数のランプ挿入穴各々に圧入し、前記対向面間において、複数本の外部電極蛍光ランプ各々の他端を他方の外部電極蛍光ランプ用ソケットアセンブリの複数のランプ挿入穴各々に圧入し、２体の内の一方の外部電極蛍光ランプ用ソケットアセンブリのハーネス接続部に高周波電源からの給電ハーネスの一方を接続し、２体の内の他方の外部電極蛍光ランプ用ソケットアセンブリのハーネス接続部に前記高周波電源からの給電ハーネスの他方を接続したものである。
【００１９】
請求項８の発明の照明装置では、片側のソケットのハーネス接続部と反対側のソケットのハーネス接続部は対角線上に位置することになり、各蛍光ランプに供給する電力を均等化し、発光面全体での発光を均一化できる。
【００２０】
請求項９の発明の液晶表示装置は、柔軟なゴム弾性を持つ、棒状の導電材で形成され、一端部にハーネス接続部を有し、長手方向に間隔を置いて複数のランプ挿入穴が形成されたソケットと、前記ソケットに被せられ、当該ソケットの絶縁を必要とする表面を覆い隠すと共に当該ソケットを保形する難燃絶縁材のソケットホルダとで構成される外部電極蛍光ランプ用ソケットアセンブリの２体を１８０度回転対称な位置関係に配置し、前記２体の外部電極蛍光ランプ用ソケットアセンブリの対向面間において、複数本の外部電極蛍光ランプ各々の一端を一方の外部電極蛍光ランプ用ソケットアセンブリの複数のランプ挿入穴各々に圧入し、前記対向面間において、複数本の外部電極蛍光ランプ各々の他端を他方の外部電極蛍光ランプ用ソケットアセンブリの複数のランプ挿入穴各々に圧入し、２体の内の一方の外部電極蛍光ランプ用ソケットアセンブリのハーネス接続部に高周波電源からの給電ハーネスの一方を接続し、２体の内の他方の外部電極蛍光ランプ用ソケットアセンブリのハーネス接続部に前記高周波電源からの給電ハーネスの他方を接続して構成される照明装置と、前記照明装置の複数本の外部電極蛍光ランプのからの光で照明され得る側面に近接して配置された液晶パネルとから成るものである。
【００２１】
請求項９の発明の液晶表示装置では、バックライトをなす照明装置において片側のソケットのハーネス接続部と反対側のソケットのハーネス接続部は対角線上に位置することになり、各蛍光ランプに供給する電力を均等化し、発光面全体での発光を均一化でき、液晶パネルの各部分の明るさを均等化でき、かつ輝度の高い液晶表示を可能にする。
【００２２】
【発明の実施の形態】
以下、本発明の実施の形態を図に基づいて詳説する。図１は本発明の第１の実施の形態の液晶表示装置の分解図であり、図２はこの実施の形態の液晶表示装置に使用される外部電極蛍光ランプ用ソケットアセンブリの要部の分解図である。
【００２３】
この実施の形態の液晶表示装置は、液晶パネル１０とこの液晶パネル１０のバックライトをなす照明装置２０から構成されている。
【００２４】
液晶パネル１０は一般に知られているもので、カラー液晶パネルである。
【００２５】
この液晶パネル１０に対するバックライトをなす照明装置２０は、多数本の並設された誘電バリア放電型外部電極蛍光ランプ（ＥＥＦＬ）２１、ソケット２２、ソケットホルダ２３、高周波電源をなすインバータ２４、インバータ２４から両側のソケット２２に高周波電圧を給電するハーネス２５、両側のソケットホルダ２３を所定位置に固定する下フレーム２６、多数本のＥＥＦＬ２１の光を所定方向（図１において上方）に反射させる反射板２７、多数本のＥＥＦＬ２１からの光を均一に拡散させる拡散板２８及び拡散シート２９、そして上フレーム２１０を図示のように配置し、一体に組立てたものである。
【００２６】
ソケット２２は、例えばシリコンゴムに適当な割合でカーボン粒子を混合し、成形することによって得られた柔軟なゴム弾性を持つ棒状の導電材である。このソケット２２には、長手方向に一定の間隔を置いて多数のランプ挿入穴２２０が穿ってある。図２に詳しいように、このランプ挿入穴２２０の径は、ＥＥＦＬ２１の端部の外部電極２１１の外径よりも小さめに設定し、外部電極２１１をこのランプ挿入穴２２０に圧入することによってその外部電極２１１をソケット２２に電気的に接触させると共に機械的に保持させるようにしてある。
【００２７】
また図２に詳しいように、ソケット２２の一端部にはハーネス接続部２２１が形成してある。このハーネス接続部２２１には、金属金具２２２を装着し、ねじ２２３、ナット２２４で高周波インバータ２４からのハーネス２５を金属金具２２２にねじ止めする構成である。このため、ソケット２２のハーネス接続部２２１と金属金具２２２とにはねじ通し穴２２５，２２６が穿ってある。
【００２８】
ソケットホルダ２３は、例えばポリカーボネートのような難燃・絶縁性樹脂の成形体であり、照明装置として組立てた状態でソケット２２のランプ挿入側の側面以外の側面が外部に露出しない状態で収容できる形状にして、柔軟なソケット２２を外側から覆い、保形している。
【００２９】
これらのソケット２２とソケットホルダ２３との組で片側の外部電極蛍光ランプ用ソケットアセンブリ３０が構成される。そして、２体のソケットアセンブリ３０を１８０度回転対称となる配置にして、多数本のＥＥＦＬ２１のそれぞれの両端の外部電極２１１を各ソケットアセンブリ３０内のソケット２２のソケット挿入穴２２０に圧入し、また、２体のソケットアセンブリ３０各々のハーネス接続部２２１にインバータ２４からの２本のハーネス２５各々を接続することによって給電ユニットが構成される。
【００３０】
上記構成の液晶表示装置では、柔軟なゴム弾性を持つ、棒状の導電材で形成され、一端部にハーネス接続部２２１を有し、長手方向に間隔を置いて複数のランプ挿入穴２２０が形成されたソケット２２を利用し、多数本のＥＥＦＬ２１各々の外部電極２１１を各ランプ挿入穴２２０に差し込み、ハーネス接続部２２１に高周波インバータ２４からのハーネス２５を接続することによって、各ＥＥＦＬ２１の片側の外部電極２１１に同時に並列的に高周波電圧を印加して放電点灯させ、液晶パネル１０のバックライトとすることができる。
【００３１】
このため、本発明の液晶表示装置では、多数本のＥＥＦＬ２１の外部電極２１１の接続のための構造が棒状の導電材のソケット２２にランプ挿入穴２２０を形成するだけの単純なものであり、その製造が容易で、コストの低減化が可能である。
【００３２】
また、本発明の液晶表示装置では、上記の柔軟なゴム弾性を持つ、棒状の導電材で形成されたソケット２２をソケットホルダ２３に収容し、外部からの感電を防止し、かつ柔軟なソケット２２を保形するソケットアセンブリ３０を採用しているので、多数本のＥＥＦＬ２１各々の外部電極２１１に対する接続強度を高め、また発火の恐れなく高周波電圧を印加でき、ユーザが高電圧の印加されているソケットに触れて感電する恐れもなくすことができる。
【００３３】
また、本発明の液晶表示装置では、上記のソケットアセンブリ３０の２体を１８０度回転対称な位置関係に配置し、一方のソケットアセンブリ３０のハーネス接続部２２１に高周波インバータ２４からの給電ハーネス２５の一方を接続し、他方のソケットアセンブリ３０のハーネス接続部２２１に高周波インバータ２４からの給電ハーネス２５の他方を接続した構成の給電ユニットを採用しているので、多数本のＥＥＦＬ２１を並列させ、各ＥＥＦＬ２１の両側の外部電極２１１各々を両側のソケットアセンブリ３０それぞれのソケット２２に形成されている各ランプ挿入穴２２０に圧入して電気的な接続を行うことにより、多数本のＥＥＦＬ２１を同時に放電点灯させるバックライト用の照明装置２０を構成することができる。
【００３４】
そしてこの場合に、片側のソケット２２のハーネス接続部２２１と反対側のソケット２２のハーネス接続部２２１とは対角線上に位置することになり、各蛍光ランプ２１に供給する高周波電圧を均等化し、発光面全体に均一に発光する照明装置が構成でき、これを液晶パネル１０のバックライトとして利用することによって、液晶パネル１０全体が均一に照明される液晶表示装置を構成できる。
【００３５】
なお、上記のソケット２２及びそのハーネス接続部２２１の構造は、図３、図４の構成にすることができる。図３、図４に示す第２の実施の形態では、ソケットホルダ２３の端部のハーネス接続部２２１に対応する位置にねじ止め用ボス２３１が一体的に形成してある。一方、ソケット２２の一端部のハーネス接続部２２１の一側面には、ねじ止め用ボス２３１を背面側から挿入するボス挿入穴２３０を形成し、その反対面から当該ボス挿入穴２３０に貫通するねじ通し穴２２７を形成してある。
【００３６】
外部電極蛍光ランプ用ソケットアセンブリ３０の構成に際しては、ソケットホルダ２３の端部のねじ止め用ボス２３１をソケット２２のハーネス接続部２２１のボス挿入穴２３０に挿入し、このソケット２２とソケットホルダ２３を一体に組立てる。
【００３７】
そして、給電ユニットまた照明装置２０として組立てる際には、高周波インバータ２４からのハーネス２５の端部のハーネス接続端子２５Ａをソケット２２のハーネス接続部２２１のねじ通し穴２２７の周辺にあてがい、ねじ２２８をねじ通し穴２２７に挿入し、ねじ止め用ボス２３１側にねじ込み、ハーネス接続端子２５Ａをソケット２２のソケット接続部２２１に接触させた状態で固定する。これによって、比較的もろい材質となるソケット２２の薄肉になっているハーネス接続部２２１をソケットホルダ２３側のねじ止め用ボス２３１によって補強し、また、ねじ２２８によってハーネス接続端子２５Ａをソケット２２のハーネス接続部２２１の表面に圧接した状態で固定できる。
【００３８】
また、上記のソケット２２及びそのハーネス接続部２２１の構造は、図５、図６の構成にすることができる。図５、図６に示す第３の実施の形態では、ソケット２２の一端部のハーネス接続部２２１に金属ナット２３２を焼付け同時成形し、高周波インタフェース２４からのハーネス２５の接続端子２５Ａをこの金属ナット２３２にねじ２３３によって固定するようにしている。
【００３９】
この構成によっても、ハーネス２５のねじ止めによりハーネス接続端子２５Ａを金属ナット２３２を介してソケット２２と機械的に固定すると共に電気的に接続できる。
【００４０】
なお、この第３の実施の形態においては、ソケット２２の導電材がゴム弾性を有する柔軟なものであるので、図７（ａ），（ｂ）に示すように、金属ナット２３２の一部に非円形部２３２Ａ，２３２Ｂを形成し、焼付け同時成形によりソケット２２内に埋め込むことによって、この金属ナット２３２が容易に回転せず、またソケット２２から外れないように配慮することができる。
【００４１】
【発明の効果】
以上のように請求項１〜５の発明のソケットによれば、平行に並べられた複数本の外部電極蛍光ランプ各々の外部電極を各ランプ挿入穴に差し込み、ハーネス接続部に高周波電源からのハーネスを接続することによって、各外部電極蛍光ランプの片側の外部電極に同時に並列に高周波電圧を印加して放電点灯させることができ、このような複数本の外部電極蛍光ランプを並列点灯させるソケットとしての構造が棒状の導電材にランプ挿入穴を形成するだけの単純なものにでき、その製造が容易で、コストの低減化が可能である。そして、ハーネス接続部の構造を種々工夫することによって、本発明のソケットと高周波電源との間を確実に接続できる。
【００４２】
請求項６の発明の外部電極蛍光ランプ用ソケットアセンブリによれば、柔軟なゴム弾性を持つ、棒状の導電材で形成されたソケットをソケットホルダで保形することにより、複数本の外部電極蛍光ランプの外部電極に対する接続強度を高め、また発火の恐れなく高周波電圧を印加でき、ユーザが高電圧の印加されているソケットに触れて感電する恐れもなくすことができる。
【００４３】
請求項７の発明の外部電極蛍光ランプ用給電ユニットによれば、複数本の外部電極蛍光ランプを並列させ、各蛍光ランプの両側の外部電極各々を両側の外部電極蛍光ランプ用ソケットアセンブリそれぞれのソケットに形成されている各ランプ挿入穴に圧入して電気的な接続を行うことにより、複数本の外部電極蛍光ランプを同時に放電点灯させる照明装置を構成することができ、そしてこの場合に、片側のソケットのハーネス接続部と反対側のソケットのハーネス接続部は対角線上に位置させることにより、各蛍光ランプに供給する電力を均等化し、発光面全体での発光を均一化できる。
【００４４】
請求項８の発明の照明装置によれば、各蛍光ランプに供給する電力を均等化し、発光面全体での発光を均一化でき、液晶パネルのバックライトとして用いるときに、輝度ムラのないバックライト照明が可能である。
【００４５】
請求項９の発明の液晶表示装置によれば、バックライトをなす照明装置において片側のソケットのハーネス接続部と反対側のソケットのハーネス接続部は対角線上に位置し、各蛍光ランプに供給する電力を均等化して発光面全体での発光を均一化でき、輝度ムラが少なく、かつ輝度の高い液晶表示が可能である。
【図面の簡単な説明】
【図１】本発明の第１の実施の形態の液晶表示装置の分解斜視図。
【図２】上記実施の形態における外部電極蛍光ランプ用ソケットアセンブリのハーネス接続部分を示す分解斜視図。
【図３】本発明の第２の実施の形態の外部電極蛍光ランプ用ソケットアセンブリの分解斜視図。
【図４】図３におけるＡ−Ａ′線の断面図。
【図５】本発明の第３の実施の形態において、ソケットのハーネス接続部に対するハーネス接続方法を示す分解斜視図。
【図６】上記実施の形態におけるソケットのハーネス接続部分の斜視図。
【図７】上記実施の形態においてハーネス接続部に埋め込む金属ナットの斜視図。
【符号の説明】
１０　液晶パネル
２０　照明装置
２１　ＥＥＦＬ（誘電バリア放電型外部電極蛍光ランプ）
２２　ソケット
２３　ソケットホルダ
２４　高周波インバータ
２５　ハーネス
２５Ａ　ハーネス接続端子
２６　下フレーム
３０　ソケットアセンブリ
２１０　上フレーム
２１１　外部電極
２２０　ランプ挿入穴
２２１　ハーネス接続部
２２２　金属金具
２２３　ねじ
２２４　ナット
２２５　ねじ通し穴
２２６　ねじ通し穴
２２７　ねじ通し穴
２２８　ねじ
２３０　ボス挿入穴
２３１　ねじ止め用ボス
２３２　金属ナット
２３２Ａ，２３２Ｂ　非円形部
【図１】
2004095377.tif 000003
【図２】
2004095377.tif 000004
【図３】
2004095377.tif 000005
【図４】
2004095377.tif 000006
【図５】
2004095377.tif 000007
【図６】
2004095377.tif 000008
【図７】
2004095377.tif 000009